(57)【特許請求の範囲】
【請求項１】
勾配屋根の上に覆土して植栽する場合において、前記勾配屋根の上に段型コンクリートを打設すると共に、この段型コンクリートの端部にコッターコンクリートを打設し、これらを含めて勾配屋根の表面に防水層を設けて被覆し、この防水層の上に押さえコンクリートを打設してその上に透水性マットを敷設し、更に前記押さえコンクリートに下部が固定された土留め部材を立設したことを特徴とする勾配屋根の覆土構造。
【請求項２】
防水層は、下から順に防水塗膜と、ポリエチレンフィルム又は不織布と、シート系防水材と、両面ポリエチレンフィルム付きポリスチレンフォーム等の断熱材とから構成された請求項１記載の勾配屋根の覆土構造。
【請求項３】
断熱材は、押さえコンクリートに浸入した水を排出するための溝が設けられた請求項２記載の勾配屋根の覆土構造。
【請求項４】
土留め部材は、格子状部材と、補強材と、ネットから構成された請求項１記載の勾配屋根の覆土構造。
【発明の詳細な説明】
【０００１】
【発明の属する技術分野】
本発明は、建物の勾配屋根の上に植栽を施すための覆土構造に関するものである。
【０００２】
【従来の技術】
緑地地域内に建築する場合であって、周囲の環境を破壊しないように建物の屋根の上に盛り土（客土）して植栽し、あたかも小高い丘の樹木の下に建物が存在するように見せ掛けたユニークな建築物を計画することがある。特に、美術館や博物館等の公共の建物に適し、特異な洒落た外観を呈し、緑地に見事に融合した好印象を与えるものである。
【０００３】
【発明が解決しようとする課題】
前記の建築物を形成するには、盛り土による覆土量を最小限にするために屋根は勾配屋根が適し、その勾配屋根の表面に防水処理を施し、その上に高さ約１ｍ程度の盛り土をして樹木を植栽する必要がある。そして、半永久的な覆土の保持と、勾配屋根の完全な防水性及び樹木が生育するための適度の保水性が要求される。特に、覆土については集中豪雨時にも土砂流出しないこと、地震時に建物の揺れにより崩壊しないこと等が強く要求される。
【０００４】
本発明は、このような要求に応えるべくなされたもので、建築物の勾配屋根の上に覆土して樹木を植栽する場合において、充分な覆土保持機能と、勾配屋根の防水機能及び樹木生育のための適度の保水機能とを備えた勾配屋根の覆土構造を提供することを目的とする。
【０００５】
【課題を解決するための手段】
前記の目的を達成するための手段として、本発明は、勾配屋根の上に覆土して植栽する場合において、前記勾配屋根の上に段型コンクリートを打設すると共に、この段型コンクリートの端部にコッターコンクリートを打設し、これらを含めて勾配屋根の表面に防水層を設けて被覆し、この防水層の上に押さえコンクリートを打設してその上に透水性マットを敷設し、更に前記押さえコンクリートに下部が固定された土留め部材を立設したことを特徴とする勾配屋根の覆土構造を要旨とする。
又、防水層は、下から順に防水塗膜と、ポリエチレンフィルム又は不織布と、シート系防水材と、両面ポリエチレンフィルム付きポリスチレンフォーム等の断熱材とから構成されていること、
断熱材は、押さえコンクリートに浸入した水を排出するための溝が設けられたこと、
土留め部材は、格子状部材と、補強材と、ネットから構成されたこと、
を要旨とする。
【０００６】
【発明の実施の形態】
以下、本発明の実施の形態を添付図面に基づいて詳説する。
図１において、１は建物本体であり、その勾配屋根２の躯体コンクリート上に段型コンクリート３が傾斜面に沿って複数段打設されると共に、その水平面部３ａの下位側端部にコッターコンクリート４がそれぞれ設けられている。
【０００７】
５は防水層であり、前記段型コンクリート３及びコッターコンクリート４を含めて勾配屋根２の表面全体を被覆するようにして設けられる。この防水層５は、図３に示すように一番下が防水塗膜６であり、その防水塗膜６上にポリエチレンフィルム又は不織布７を敷き、その上にシート系防水材８を張り、更にその上に両面ポリエチレンフィルム付きポリスチレンフォーム等から成る断熱材９が取り付けられた複層構造になっている。又、前記断熱材９の下部には、勾配屋根２の傾斜方向に沿って排水用の溝９ａが設けられている。
【０００８】
図１に戻って、１０は押さえコンクリートであり、前記防水層５の上に打設され、その上には図２のように透水性マット１１が敷設される。この押さえコンクリート１０は、軽量コンクリートであることが好ましい。
【０００９】
前記押さえコンクリート１０の打設の際に、土留め部材１２が勾配屋根２の傾斜面に沿ってそれぞれ複数箇所立設される。この土留め部材１２は、例えば図２に示すように前記押さえコンクリート１０に下部を固定して立設された略Ｌ型の防錆処理をされた格子状の鉄筋１２ａ及びそれに類するものと、その立ち上げ部に張設された合成樹脂ネット１２ｂと、補強材１２ｃとから構成されている。
【００１０】
１３は勾配屋根２の上に盛り土した覆土であり、この覆土１３に適当な樹木１４を植栽し、且つ覆土１３中に前記土留め部材１２が埋設されるようにする。
【００１１】
上記のように構成された本発明に係る勾配屋根の覆土構造においては、防水の養生を兼ねた前記押さえコンクリート１０が、覆土１３の重量や建物本体１の地震時の揺れ等によって滑らないか、又覆土１３自体が雨水等により滑らないかの懸念が生じるが、本発明の場合はこれらの滑りに対して充分な対策が施されている。
【００１２】
即ち、押さえコンクリート１０の滑りに対しては、前記段型コンクリート３により水平位が保持され、且つその水平面部３ａの下位側端部に設けられたコッターコンクリート４がストッパーの作用をなすので、押さえコンクリート１０の滑落が確実に防止され勾配屋根２上に安定良く保持される。
【００１３】
一方、覆土１３の滑りに対しては、前記土留め部材１２により覆土１３の滑りが充分に防止される。従って、集中豪雨時にも、覆土１３を安定良く保持することができ、覆土１３中に浸透した雨水等は前記透水性マット１１により速やかに集水され、過剰の雨水は勾配屋根２の上部を流下して外部に排出される。
【００１４】
雨水等が押さえコンクリート１０内に浸入したとしても、その下には前記防水層５があり、防水層５の最上層に位置する断熱材９の溝９ａにより速やかに排水され、しかも断熱材９の下には前記のようにシート系防水材８、ポリエチレンフィルム７又は不織布、防水塗膜６があるため勾配屋根２の表面まで雨水が浸透することはない。従って、建物本体１の内部に雨漏りすることはなく、防水機能は万全である。
【００１５】
樹木１４の生育のための保水性に関しては、覆土１３に浸透した雨水等が透水性マット１１に集水され、過剰の雨水は前記のように排水されるが適量の雨水は保持され、覆土１３自体も適度の保水性を発揮するため渇水の心配はない。
又、図２に示すように透水性マット１１は、前記コッターコンクリート４の突出により水平面部に浅い窪み１１ａが生じているので、この窪み１１ａも保水機能に寄与することになる。
【００１６】
【発明の効果】
以上説明したように、本発明によれば、勾配屋根に段型コンクリート及びその上にコッターコンクリートを打設すると共に、土留め部材を設けしかも格子状部材とネットで二重構造としたので、覆土の保持機能を充分発揮させることができ、集中豪雨時又は地震時にも覆土を充分に保持し、滑落や崩壊を未然に防止する効果を奏する。
又、勾配屋根の表面に複層から成る防水層を設けると共に、その上に押さえコンクリートを打設したので、半永久的な優れた防水機能を発揮させることができ、これにより勾配屋根の雨漏りを完全に防止する効果を奏する。
更に、押さえコンクリートの上に透水性マットを敷設したので、集中降雨時には覆土に浸入した過剰の雨水を速やかに排水すると共に、適度の雨水を保持して樹木生育のための保水機能を発揮させることができる等の優れた効果を奏する。
【図面の簡単な説明】
【図１】本発明に係る勾配屋根の覆土構造の実施の一態様を示す概略断面図である。
【図２】図１の一部の拡大断面図である。
【図３】防水層の構成を示す説明図である。
【符号の説明】
１…建物本体
２…勾配屋根
３…段型コンクリート
４…コッターコンクリート
５…防水層
６…防水塗膜
７…ポリエチレンフィルム又は不織布
８…シート系防水材
９…断熱材
１０…押さえコンクリート
１１…透水性マット
１２…土留め部材
１３…覆土
１４…樹木
【図１】
0003648662.tif 000002
【図２】
0003648662.tif 000003
【図３】
0003648662.tif 000004